(57)【特許請求の範囲】
【請求項１】
接地が必要な電気設備の接地抵抗値を所定の規定値以下にするために、該電気設備を設置する工事対象電柱に設けられた接地極と他の電柱に設けられた接地極とを連接接地する連接接地工事を設計するために用いられ、
接地抵抗値を算出するために必要な条件を入力する入力手段と、接地極を電柱で特定するために各電柱を識別する電柱識別情報、各電柱が設置された位置に関する電柱位置情報、及び、各電柱に設置される接地極の接地抵抗値を記憶する記憶部、並びに、工事対象電柱に設けられる接地極の接地抵抗値と他の電柱に設けられる接地極の接地抵抗値とを合成した合成接地抵抗値を算出する演算部が設けられた制御手段と、算出された接地抵抗値を表示可能な表示手段とを備える連接接地工事設計支援システムであって、
演算部は、記憶部に記憶された電柱位置情報に基づき、工事対象電柱から所定の距離範囲内にある電柱識別情報を抽出するとともに、工事対象電柱に設置された接地極と連接接地されていない接地極が設けられる電柱に関する情報を抽出する情報抽出部と、工事対象電柱に設置された接地極の接地抵抗値と連接接地する接地極の接地抵抗値とから合成接地抵抗値を算出する算出部とを備え、
入力手段は、情報抽出部によって抽出された電柱に関する情報から工事対象電柱に設けられた接地極に連接接地する接地極を選択するために、抽出された電柱に関する情報を選択可能な情報選択部を備え、
算出部は、情報抽出部により抽出された電柱に関する情報に対応する電柱に設けられた接地極のうち、情報選択部により選択された接地極の接地抵抗値と工事対象電柱に設けられる接地極の接地抵抗値との合成接地抵抗値を算出することを特徴とする連接接地工事設計支援システム。
【請求項２】
記憶部は、同一の接地極に連接接地されている他の接地極が設けられた電柱の電柱識別情報を識別可能な連接接地識別情報が記憶され、該連接接地識別情報は、それぞれの接地極が設けられた電柱の電柱識別情報に関連付けて記憶されている請求項１に記載の連接接地工事設計支援システム。
【請求項３】
記憶部は、電柱識別情報に対応する電柱に設置される電気設備に関する設備情報が記憶され、該設備情報は、それぞれの電気設備が設置される電柱の電柱識別情報に関連付けて記憶され、
情報選択部は、電柱識別情報と設備情報との組み合わせにより連接接地する接地極を選択可能な請求項１又は２に記載の連接接地工事設計支援システム。
【請求項４】
表示手段は、情報抽出部が抽出した電柱に関する情報を一覧表示可能な一覧表示部を備え、
情報選択部は、一覧表示部に一覧表示された電柱に関する情報のそれぞれに対応した一覧選択部を備え、
電柱に関する情報に対応した一覧選択部を選択することにより、当該電柱に関する情報に対応する電柱識別情報を選択可能な請求項１〜３のいずれか１項に記載の連接接地工事設計支援システム。
【請求項５】
記憶部は、当該記憶部に記憶された電柱位置情報に対応する範囲を有する地図情報が記憶され、
表示手段は、記憶部に記憶された地図情報に基づいて地図を表示するとともに、情報抽出部が抽出した電柱に関する情報を該電柱に関する情報に対応する電柱識別情報に関連付けられた電柱位置情報に基づいて地図上に重ね合わせて表示する地図表示部を備え、
情報選択部は、地図表示部に表示された電柱に関する情報のそれぞれに対応した地図選択部を備え、
電柱に関する情報に対応した地図選択部を選択することにより、当該電柱に関する情報に対応する電柱識別情報を選択可能な請求項１〜４のいずれか１項に記載の連接接地工事設計支援システム。
【請求項６】
入力手段は、連接接地する接地極を抽出する抽出距離を入力可能な条件入力部を備える請求項１〜５のいずれか１項に記載の連接接地工事設計支援システム。
【発明の詳細な説明】
【技術分野】
【０００１】
本発明は、接地が必要な電気設備の接地抵抗値を所定の規定値以下に抑えるために、該電気設備を設置する工事対象電柱に設けられた接地極と他の電柱に設けられた接地極とを連接接地する連接接地工事の設計支援システムに関する。
【背景技術】
【０００２】
従来より、電柱は、変圧器や避雷器などの様々な電気設備を柱上に備えることができるように設置されている。そのため、電柱には、周辺の地中に埋設され導電性を有する接地極と、電気設備に接地極を電気的に接続するための接地線とが設けられている。これらの設備は、電気設備による感電や漏電事故等を防止するために、電気設備を接地線を介して接地極に接続して接地（アース）するために設けられる。電気設備は、接地する際、その種類に応じて確保しなければならない接地抵抗の規定値が法律によって定められており、その規定値以下を確保することができるように選択して接地極に接続される。
【０００３】
接地工事の施工方式（接地方式）には、例えば、ハンマー等で比較的簡単に打ち込む連結式や、比較的硬い地盤に専用工具を用いて深く打ち込む深打ち式、下層に岩盤等を有する地盤に専用工具を用いて浅く打ち込む浅打ち式、電柱用の孔の底部に接地板を設置する接地板式、その他特殊深打ち式等があり、接地極を打ち込む地盤の種類（地目）や費用等を考慮して、適宜選択される。
【０００４】
また、他の接地工事の施工方式として、接地極の接地抵抗が経年変化で規定値を確保することができなくなった場合に、新たに接地工事を施工するのではなく、電気設備を設置する工事対象電柱に設けられた接地極と他の電柱に設けられた既存の接地極とを連接接地して接地抵抗値を下げる連接接地式もある。この連接接地式の接地工事は、電気設備を設置する電柱の周辺にこのような接地工事を施工することが困難な場合などにも選択される。また、この連接接地式の接地工事は、他の接地工事と比較して工事にかかる費用を低く抑えることができるため、他の接地工事よりも優先して実施されている。
【０００５】
この連接接地式の接地工事（以下、単に「連接接地工事」と称する）は、電気設備の接地抵抗値が不足している接地極の周辺に連接接地することができる接地極があり、該接地極と連接接地することで接地抵抗値が規定値を確保することができる場合に実施される。
【０００６】
本出願人は、接地抵抗の規定値を確保することができる接地極を自動で選出することでこの連接接地工事を支援する接地極管理サーバを提案している（特許文献１参照）。該接地極管理サーバは、各電柱について、識別情報と共に接地極の接地抵抗値と位置情報とを対応付けて記憶する電柱データベースと、電気設備の種類毎に定められた接地抵抗の規定値を記憶する機器データベースと、新たに電柱に設置される電気設備の種類を示す情報と該電気設備を設置する工事対象電柱の識別情報とをユーザ端末から受信する接地極選出要求受信部と、工事対象電柱に設置する電気設備の接地抵抗の規定値と他の電柱に設けられた接地極の接地抵抗値とを比較する抵抗比較部と、該抵抗比較部の比較結果に基づき接地抵抗の規定値を満たす他の接地極を選出する接地極選出部と、選出された他の接地極が設置される電柱の識別情報をユーザ端末に送信する選出結果送信部とを備える。
【０００７】
接地極選出部は、抵抗比較部の比較の結果、工事対象電柱に設けられた接地極の接地抵抗値が規定値を満たす場合、その接地極を選出する。一方、接地極選出部は、工事対象電柱に設けられた接地極の接地抵抗値が規定値を満たさない場合、工事対象電柱の最寄りの他の電柱を検索し、工事対象電柱に設けられた接地極の接地抵抗値と最寄りの他の電柱に設けられた接地極の接地抵抗値とを合成した合成接地抵抗値を算出する。抵抗比較部により、この合成接地抵抗値が規定値を満たす場合、接地極選出部は、工事対象電柱に設けられた接地極と最寄りの他の電柱に設けられた接地極を選出する。合成接地抵抗値が規定値を満たさない場合、次に近い他の電柱を検索し、該他の電柱に設けられた接地極の接地抵抗値との合成接地抵抗値が規定値を満たすまで繰り返す。このようにして、接地極管理サーバは、新たに設置する電気設備の接地抵抗の規定値を満足するために連接接地する必要のある接地極を選出することにより連接接地工事の設計を支援する。
【先行技術文献】
【特許文献】
【０００８】
【特許文献１】特開２００８−１７６９５７号公報
【発明の概要】
【発明が解決しようとする課題】
【０００９】
しかしながら、実際に連接接地工事を施工するためには、選出された接地極の状況に応じて、工事対象電柱に設けられた接地極と連接接地することができるか否かを確認しなければならない。例えば、工事対象電柱に設けられた接地極と連接接地する接地極とを接続する架空共同地線が通過する場所の地権者との上空利用の交渉などである。この交渉によっては、工事対象電柱の最寄りの接地極より他の接地極を選択した方が容易に連接接地工事を施工できる場合もある。そこで、このような実施状況に応じて対応できるように、更に利便性が向上した接地極管理サーバが求められていた。
【００１０】
よって、本発明は、かかる事情に鑑み、連接接地工事の設計の利便性を高めることができる連接接地工事設計支援システムを提供することを課題とする。
【課題を解決するための手段】
【００１１】
本発明に係る連接接地工事設計支援システムは、接地が必要な電気設備の接地抵抗値を所定の規定値以下にするために、該電気設備を設置する工事対象電柱に設けられた接地極と他の電柱に設けられた接地極とを連接接地する連接接地工事を設計するために用いられ、接地抵抗値を算出するために必要な条件を入力する入力手段と、接地極を電柱で特定するために各電柱を識別する電柱識別情報、各電柱が設置された位置に関する電柱位置情報、及び、各電柱に設置される接地極の接地抵抗値を記憶する記憶部、並びに、工事対象電柱に設けられる接地極の接地抵抗値と他の電柱に設けられる接地極の接地抵抗値とを合成した合成接地抵抗値を算出する演算部が設けられた制御手段と、算出された接地抵抗値を表示可能な表示手段とを備える連接接地工事設計支援システムであって、演算部は、記憶部に記憶された電柱位置情報に基づき、工事対象電柱から所定の距離範囲内にある電柱識別情報を抽出するとともに、工事対象電柱に設置された接地極と連接接地されていない接地極が設けられる電柱に関する情報を抽出する情報抽出部と、工事対象電柱に設置された接地極の接地抵抗値と連接接地する接地極の接地抵抗値とから合成接地抵抗値を算出する算出部とを備え、入力手段は、情報抽出部によって抽出された電柱に関する情報から工事対象電柱に設けられた接地極に連接接地する接地極を選択するために、抽出された電柱に関する情報を選択可能な情報選択部を備え、算出部は、情報抽出部により抽出された電柱に関する情報に対応する電柱に設けられた接地極のうち、情報選択部により選択された接地極の接地抵抗値と工事対象電柱に設けられる接地極の接地抵抗値との合成接地抵抗値を算出することを特徴とする。
【００１２】
かかる構成によれば、工事対象電柱に設置する電気設備の接地抵抗の規定値を満足させるために、記憶部に記憶された電柱位置情報に基づき、工事対象電柱から所定の距離範囲内にある電柱識別情報を抽出するとともに、工事対象電柱に設置された接地極と連接接地されていない接地極が設けられる電柱に関する情報を抽出して、表示手段に表示する。情報選択部は、表示手段に表示された電柱に関する情報から工事対象電柱に設けられた接地極に連接接地する接地極を選択できるようになっている。算出部は、情報抽出部により抽出された電柱に関する情報に対応する電柱に設けられた接地極のうち情報選択部により選択された接地極の接地抵抗値と工事対象電柱に設けられる接地極の接地抵抗値との合成接地抵抗値を算出する。よって、操作者は、情報抽出部により抽出された接地極の状況を応じて、工事対象電柱に設けられた接地極と連接接地することができるか否かを確認しながら、連接接地する接地極を選択することができ、連接接地工事の設計の利便性を高めることができる。
【００１３】
本発明によれば、記憶部は、同一の接地極に連接接地されている他の接地極が設けられた電柱の電柱識別情報を識別可能な連接接地識別情報が記憶され、該連接接地識別情報は、それぞれの接地極が設けられた電柱の電柱識別情報に関連付けて記憶されていることが好ましい。
【００１４】
かかる構成によれば、情報抽出部は、工事対象電柱に設置された接地極と連接接地されていない接地極を抽出する際に、工事対象電柱から所定の距離範囲内にある電柱識別情報の中から、工事対象電柱に対応する電柱識別情報に関連付けられた連接接地識別情報と一致する連接接地識別情報と関連付けられた電柱識別情報を省くことにより抽出することができる。
【００１５】
本発明によれば、記憶部は、電柱識別情報に対応する電柱に設置される電気設備に関する設備情報が記憶され、該設備情報は、それぞれの電気設備が設置される電柱の電柱識別情報に関連付けて記憶され、情報選択部は、電柱識別情報と設備情報との組み合わせにより連接接地する接地極を選択可能であることが好ましい。
【００１６】
かかる構成によれば、１基の電柱に対して複数の電気設備が設置され、それぞれの電気設備に独立して接地極が接続される場合、すなわち、１基の電柱に対して複数の独立した接地極が設けられる場合であっても、電柱識別情報と設備情報との組み合わせにより、それぞれの接地極を識別することができる。なお、設備情報は、既に電柱に設置されている電気設備に関する情報に限定されず、将来設置される予定の電気設備に関する情報も含むものとする。
【００１７】
本発明によれば、表示手段は、情報抽出部が抽出した電柱に関する情報を一覧表示可能な一覧表示部を備え、情報選択部は、一覧表示部に一覧表示された電柱に関する情報のそれぞれに対応した一覧選択部を備え、電柱に関する情報に対応した一覧選択部を選択することにより、当該電柱に関する情報に対応する電柱識別情報を選択可能であることが好ましい。
【００１８】
かかる構成によれば、一覧選択部は、情報抽出部により抽出された電柱に関する情報を一覧表示部に一覧表示された電柱に関する情報に対応して配置されていることから、容易に連接接地する接地極を選択することができる。
【００１９】
本発明によれば、記憶部は、当該記憶部に記憶された電柱位置情報に対応する範囲を有する地図情報が記憶され、表示手段は、記憶部に記憶された地図情報に基づいて地図を表示するとともに、情報抽出部が抽出した電柱に関する情報を該電柱に関する情報に対応する電柱識別情報に関連付けられた電柱位置情報に基づいて地図上に重ね合わせて表示する地図表示部を備え、情報選択部は、地図表示部に表示された電柱に関する情報のそれぞれに対応した地図選択部を備え、電柱に関する情報に対応した地図選択部を選択することにより、当該電柱に関する情報に対応する電柱識別情報を選択可能であることが好ましい。
【００２０】
かかる構成によれば、地図選択部は、地図表示部に表示された地図上の電柱に関する情報に対応して配置されていることから、工事対象電柱との位置関係を確認しながら選択することができ、容易に連接接地する接地極を選択することができる。
【００２１】
本発明によれば、入力手段は、連接接地する接地極を抽出する抽出距離を入力可能な条件入力部を備えることが好ましい。
【００２２】
かかる構成によれば、工事対象電柱や連接接地工事をする際の制約等に合わせて、適宜、接地極を抽出する範囲を変更することができる。
【発明の効果】
【００２３】
以上の如く、本発明に係る連接接地工事設計支援システムによれば、工事対象電柱に設置する電気設備の接地抵抗の規定値を満足させるために、連接接地する対象となりえる他の電柱に設けられた接地極を抽出するとともに、抽出された接地極の中から選択した接地極との合成接地抵抗値を算出することにより連接接地工事の設計の利便性を高めることができるという優れた効果を奏する。
【図面の簡単な説明】
【００２４】
【図１】本発明に係る連接接地工事設計支援システムを利用する連接接地工事を説明する模式図を示す。
【図２】同実施形態に係る連接接地工事設計支援システムの構成を説明するブロック図を示す。
【図３】同実施形態に係る連接接地工事設計支援システムのメイン表示画面の外観図を示す。
【図４】同実施形態に係る連接接地工事設計支援システムのサブ表示画面の外観図を示す。
【図５】同実施形態に係る連接接地工事設計支援システムの各種データベースのデータ構造であって、（ａ）は、電柱データベースのデータ構造を示し、（ｂ）は、設備情報データベースのデータ構造を示し、（ｃ）工事情報データベースのデータ構造を示し、（ｄ）は、連接接地情報データベースのデータ構造を示し、（ｅ）は、地図情報データベースのデータ構造を示す。
【図６】同実施形態に係る連接接地工事設計支援システムの各種データベースのデータ構造であって、（ａ）は、演算用メモリのデータ構造を示し、（ｂ）は、抽出結果用メモリのデータ構造を示し、（ｃ）は、選択用メモリのデータ構造を示し、（ｄ）は、算出用メモリのデータ構造を示す。
【図７】同実施形態に係る連接接地工事設計支援システムの連接接地工事の設計支援制御のフローチャートを示す。
【図８】同実施形態に係る連接接地工事設計支援システムの連接接地工事の設計支援制御のフローチャートを示す。
【図９】同実施形態に係る連接接地工事設計支援システムの連接接地工事の設計支援制御のフローチャートを示す。
【発明を実施するための形態】
【００２５】
本発明の一実施形態に係る連接接地工事設計支援システムについて、図面を参照しつつ説明する。まず始めに、本連接接地工事設計支援システムを利用する連接接地工事について、図１を参照しつつ説明する。電柱１００には、高圧電気を低圧電気に変成する電気設備としての変圧器１０１が設置されている。変圧器１０１の低電圧側には、接地線１０２が接続される。接地線１０２は、電柱１００に沿って下方へと延びている。その接地線１０２の先端には、接地極１０３が設けられ、接地極１０３は、電柱１００，１００，…の周辺の地中に埋設されている。接地極１０３は、その接地抵抗値が所定の規定値以下となるように、地盤の地質等に応じて１本または複数本が埋設されている。
【００２６】
この電柱１００の周辺に接地極１０３，１０３を埋設するだけでは、この変圧器１０１の接地抵抗の規定値を満たすことができない場合に連接接地工事が施工される。具体的には、連接接地工事は、この変圧器１０１を設置する電柱（工事対象電柱）１００ａの接地極１０３，１０３に、隣接する電柱１００，１００の周辺の地中に埋設された接地極１０３，１０３を並列に接続することにより連接接地する工事である。他の電柱１００，１００に設けられた接地極１０３，１０３に連接接地することにより、変圧器１０１の接地抵抗値は、工事対象電柱１００ａに設けられた接地極１０３，１０３の接地抵抗値と隣接する電柱１００，１００に設けられた接地極１０３，１０３の接地抵抗値とが合成された合成接地抵抗値として算出することができ、接地抵抗値を下げることができる。
【００２７】
工事対象電柱１００ａに設けられた接地極１０３，１０３と隣接する電柱１００，１００に設けられた接地極１０３，１０３とは、架空共同地線１０４（又は架空接地線）を低圧架空電線と同様に施工して連接接地される。また、架空共同地線１０４を施工する代わりに、低圧架空電線の接地側電線を架空共同地線として兼用することもできる。
【００２８】
次に、同実施形態に係る連接接地工事設計支援システムの構成について、図２を参照しつつ説明する。同実施形態に係る連接接地工事設計支援システム１は、接地抵抗値を算出するために必要な条件を入力する入力手段２と、算出された接地抵抗値を表示可能な表示手段３と、接地極を電柱で特定するために電柱を識別する電柱識別情報、電柱が設置された位置に関する電柱位置情報、及び、電柱に設置される接地極の接地抵抗値を記憶する記憶部５、並びに、工事対象電柱に設けられる接地極の接地抵抗と他の電柱に設けられる接地極の接地抵抗とを合成した合成接地抵抗値を演算する演算部６が設けられた制御手段４とを備える。
【００２９】
入力手段２は、制御手段４の記憶部５に連接接地工事の設計のために必要な情報を入力する情報入力部２１と、工事対象電柱に設けられる接地極に連接接地し得る接地極が設けられた電柱に関する情報を抽出するための抽出条件を入力する条件入力部２２と、連接接地し得る接地極が設けられた電柱に関する情報の抽出を制御手段４の演算部６に実行させる抽出実行部２３（図３も参照）と、演算部６に抽出させた電柱に関する情報から工事対象電柱に設けられる接地極に連接接地する接地極が設けられた電柱に関する情報を選択する情報選択部２４と、該情報選択部２４によって選択された電柱に関する情報に対応する接地極と工事対象電柱に設けられた接地極との合成接地抵抗値の算出を演算部６に実行させる算出実行部２５（図３も参照）とを備える。
【００３０】
情報入力部２１は、電柱識別情報である「電柱識別ＩＤ」、該電柱識別ＩＤに対応する「電柱の名称」、電柱位置情報である「緯度・経度」及び「所在地」、電柱の柱上に設置する電気設備の種類を示す「設備情報」、電気設備ごとに定められた「接地抵抗の規定値」、電気設備の種類ごとに定められる「接地種別」、電気設備の接地方法を示す「接地方法」、電柱識別情報に対応する電柱に設けられた接地極の「接地抵抗の測定値」、当該接地極の接地抵抗を測定した「測定年」、当該接地極の「接地工法」、同一の接地極に連接接地されている他の接地極が設けられた電柱の電柱識別情報を識別可能な連接接地識別情報である「連接接地グループ番号」、電柱位置情報に対応する範囲を有する「地図情報」が入力される入力部である。
【００３１】
電柱識別ＩＤは、地域コードＡと、番号コードＢとにより構成されている。地域コードＡは、特定範囲の地域を示すコード番号である。番号コードＢは、地域コードＡの範囲内にある電柱のコード番号である。このような構成により、電柱識別ＩＤからただちに地域を判別することができる。ただし、電柱識別ＩＤの構成は、上記に限定されず、番号と地域とを関連付けたデータベースを参照して地域を判別する構成としてもよい。
【００３２】
設備情報は、具体的には、柱上変圧器や避雷器などを識別する情報である。接地種別は、省令により定められたＡ種〜Ｄ種までの種別である。接地方法は、電気設備の接地の方法であり、具体的には、同じ電柱に設置される他の電気設備に設けられる接地極と独立して設けられた接地極に接地する「単独」、他の電気設備に設けられる接地極と共用して接地する「共用」、そして、連接接地する「連接」とがある。接地工法は、具体的には、「連結式」、「深打ち式」、「浅打ち式」、「接地板式」、「特殊深打ち式」などである。
【００３３】
条件入力部２２は、図３に示す表示画面上の表示される各入力部（ボックス）２２１，２２２，２２３であり、工事対象電柱に設けられた接地極に連接接地し得る接地極を抽出するために、その工事対象電柱の位置を特定するために工事対象電柱を識別するための電柱識別ＩＤを入力する電柱識別ＩＤ入力部２２１と、工事対象電柱を中心として連接接地する接地極が設けられた電柱を抽出する抽出半径（抽出距離）が入力可能な抽出半径入力部２２２とを備える。また、条件入力部２２は、工事対象電柱に設置する電気設備の接地抵抗の規定値を表示するために設備情報が入力可能な設備情報入力部２２３も備える。
【００３４】
情報選択部２４は、演算部６によって抽出された電柱に関する情報から工事対象電柱に設けられた接地極に連接接地する接地極を選択するために、抽出された電柱に関する情報を選択することができる。情報選択部２４は、演算部６が抽出した電柱に関する情報を一覧表示可能な一覧表示部３２に一覧表示された電柱に関する情報のそれぞれに対応して設けられた一覧選択部２４１と、電柱に関する情報を重ね合わせた地図を表示する地図表示部３３に表示された電柱に関する情報のそれぞれに対応して設けられる地図選択部２４２とを備える。
【００３５】
一覧選択部２４１は、図３に示す表示画面上に表示される各入力部（ボックス）２４１ａ，…であり、一覧表示部３２に一覧表示された電柱に関する情報のそれぞれに対応して設けられる抽出選択部２４１ａ，…であり、電柱に関する情報に対応して同列上に設けられている。一覧選択部２４１は、各抽出選択部２４１ａ，…を選択することにより、該抽出選択部２４１ａ，…を対応させて配置した当該電柱に関する情報に対応する電柱識別情報を選択できる。一覧選択部２４１の各抽出選択部２４１ａ，…は、具体的には、「１」を入力することにより選択される。
【００３６】
地図選択部２４２は、図４に示す表示画面上に表示される各入力部（アイコン）２４２ａ，…であり、地図表示部３３に表示された電柱に関する情報のそれぞれに対応して設けられる抽出選択部２４２ａ，…であり、電柱に関する情報に対応して地図上に設けられている。地図選択部２４２の抽出選択部２４２ａ，…は、各抽出選択部２４２ａ，…を選択することにより、該抽出選択部２４２，…に対応させて配置した当該電柱に関する情報に対応する電柱識別情報を選択できる。地図選択部２４２の各抽出選択部２４２ａ，…は、具体的には、入力デバイスの一例であるマウスを地図上に表示された抽出選択部２４２ａ，…にポインタを合わせてクリック（選択）することにより選択される。
【００３７】
表示手段３は、入力手段２の条件入力部２２から入力された情報に基づき抽出条件を表示する条件表示部３１と、演算部６が抽出した電柱に関する情報を一覧表示可能な一覧表示部３２と、演算部６が抽出した電柱に関する情報を該電柱に関する情報に対応する電柱識別情報に関連付けられた電柱位置情報に基づいて地図上に重ね合わせて表示する地図表示部３３と、情報選択部２４によって選択された電柱に関する情報に対応する接地極と工事対象電柱に設けられた接地極との合成接地抵抗値の算出した結果を表示する結果表示部３４（図３も参照）とを備える。
【００３８】
条件表示部３１は、図３に記載するメイン表示画面上に示すように、条件入力部２２の電柱識別ＩＤの入力に基づき演算部６にて該電柱識別ＩＤに関連付けられた電柱位置情報を工事対象電柱の電柱位置情報として表示する電柱位置情報表示部３１１，３１２と、条件入力部２２の設備情報の入力に基づき演算部６にて工事対象電柱に設置する電気設備の種類に応じて規定された接地抵抗の規定値を表示する規定値表示部３１３とを備える。
【００３９】
一覧表示部３２は、電柱に関する情報を表示可能であり、各電柱識別ＩＤ、接地種別、接地方法、接地抵抗の規定値、接地抵抗の測定値、電柱の名称、接地工法、測定年、連接接地グループ番号、電柱の位置を表示する。
【００４０】
地図表示部３３は、図４に記載するサブ表示画面上に示すように、地図上に電柱に関する情報を表示可能であり、電柱の位置、電柱が架設する架線（高圧送電線、低圧送電線、共同架空地線等）を表示する。
【００４１】
制御手段４の記憶部５は、電柱を識別するために必要な情報を記憶する電柱情報データベース５１と、電柱に設置する電気設備に関する情報を記憶する設備情報データベース５２と、電柱に施工された接地工事に関する情報を記憶する工事情報データベース５３と、連接接地工事に関する情報を記憶する連接接地情報データベース５４と、地図情報を記憶する地図情報データベース５５と、工事対象電柱に設けられる接地極に連接接地し得る接地極が設けられた電柱に関する情報を抽出するための抽出条件を記憶する演算用メモリ５６と、演算部６が抽出した結果を記憶する抽出結果用メモリ５７と、情報選択部２４によって選択された電柱に関する情報を記憶する選択用メモリ５８と、該選択用メモリ５８に記憶された電柱に関する情報に対応する接地極と工事対象電柱に設けられた接地極との合成接地抵抗値を算出した結果を記憶する算出用メモリ５９とを備える。
【００４２】
電柱情報データベース５１は、図５（ａ）に示すデータ構造を有しており、電柱識別ＩＤに関連付けて、「電柱の名称」、「電柱位置情報（緯度、経度）」、及び、「電柱位置情報（所在地）」を有する。
【００４３】
設備情報データベース５２は、図５（ｂ）に示すデータ構造を有しており、設備情報に関連付けて、「接地抵抗の規定値」を有する。
【００４４】
工事情報データベース５３は、図５（ｃ）に示すデータ構造を有しており、電柱識別ＩＤに関連付けて、「設備情報」、「接地種別」、「接地方法」、「接地抵抗の測定値」、「接地工法」、及び、「測定年」を有する。
【００４５】
連接接地情報データベース５４は、図５（ｄ）に示すデータ構造を有しており、電柱識別ＩＤに関連付けて、「連接接地グループ番号」を有する。
【００４６】
地図情報データベース５５は、図５（ｅ）に示すデータ構造を有しており、「地図情報」を有する。
【００４７】
演算用メモリ５６は、図６（ａ）に示すデータ構造を有しており、工事対象電柱の電柱識別ＩＤに関連付けて、「電柱位置情報（緯度、経度）」、「設備情報」、「接地抵抗の規定値」、「抽出半径」、及び、「連接接地グループ番号」を有する。
【００４８】
抽出結果用メモリ５７は、図６（ｂ）に示すデータ構造を有しており、電柱識別ＩＤに関連付けて、「接地種別」、「接地方法」、「接地抵抗の規定値」、「接地抵抗の測定値」、「電柱の名称」、「接地工法」、「測定年」、「連接接地グループ番号」、「電柱位置情報（緯度、経度）」、及び、「電柱位置情報（所在地）」を有する。
【００４９】
選択用メモリ５８は、図６（ｃ）に示すデータ構造を有しており、電柱識別ＩＤに関連付けて、「接地抵抗の測定値」を有する。
【００５０】
算出用メモリ５９は、図６（ｄ）に示すデータ構造を有しており、「合成接地抵抗値」を有する。
【００５１】
制御手段４の演算部６は、連接接地工事の設計のために必要な情報を情報入力部２１から受け付ける情報受付部６１と、工事対象電柱に設けられる接地極に連接接地し得る接地極が設けられた電柱に関する情報を抽出するための抽出条件を条件入力部２２から受け入れる条件設定部６２と、記憶部５に記憶された電柱位置情報に基づき、工事対象電柱から所定の距離範囲内にある電柱識別情報を抽出するとともに、工事対象電柱に設置された接地極と連接接地されていない接地極が設けられる電柱に関する情報を抽出する情報抽出部６３と、該情報抽出部６３が抽出した電柱に関する情報を表示手段３に表示する情報を形成する抽出結果形成部６４と、情報選択部２４によって選択された電柱に関する情報を受け付ける情報収集部６５と、工事対象電柱に設置された接地極の接地抵抗値と連接接地する接地極の接地抵抗値とから合成接地抵抗値を算出する算出部６６とを備える。
【００５２】
情報受付部６１は、情報入力部２１から受け付けた情報を電柱情報データベース５１，設備情報データベース５２、工事情報データベース５３、連接接地情報データベース５４、地図情報データベース５５に記憶させる。
【００５３】
条件設定部６２は、電柱情報データベース５１から条件入力部２２によって入力された電柱識別ＩＤに関連付けられた電柱位置情報を取得し、該電柱位置情報を条件表示部３１に表示させる。条件設定部６２は、設備情報データベース５２から条件入力部２２によって入力された設備情報に関連付けられた電気設備の接地抵抗の規定値を取得し、該接地抵抗の規定値を条件表示部３１に表示させる。条件設定部６２は、条件入力部２２によって入力された抽出条件を演算用メモリ５６に記憶させる。また、条件設定部６２は、操作者によって抽出実行部２３が実行されると、抽出条件を確定させ、連接接地し得る接地極が設けられた電柱の抽出を情報抽出部６３に開始させる。
【００５４】
情報抽出部６３は、演算用メモリ５６に記録された工事対象電柱の電柱位置情報と抽出半径とに基づき工事対象電柱から所定の距離範囲内にある電柱識別ＩＤを工事情報データベース５３から抽出する第１情報抽出部６３１と、該第１情報抽出部６３１により抽出された電柱識別ＩＤの連接接地グループ番号を連接接地情報データベース５４から取得し、演算用メモリ５６に記憶された工事対象電柱に設置された接地極の連接接地グループ番号と一致しない電柱識別ＩＤを抽出する第２情報抽出部６３２とを備える。第２情報抽出部６３２は、抽出した電柱識別ＩＤを抽出結果用メモリ５６に記憶させる。
【００５５】
抽出結果形成部６４は、一覧表示部３２に表示する電柱に関する情報を形成する一覧形成部６４１と、地図表示部３３に表示する地図と該地図に重ね合わせる電柱に関する情報を形成する地図形成部６４２とを備える。
【００５６】
情報収集部６５は、情報選択部２４の一覧選択部２４１若しくは地図選択部２４２の抽出選択部２４１ａ，…，２４２ａ，…によって、情報抽出部６４により抽出された電柱に関する情報に対応する電柱に設けられた接地極のうち、情報選択部２４により選択された電柱に関する情報に対応する電柱識別ＩＤの受信を受け付けるとともに、抽出結果用メモリ５７から該電柱識別ＩＤに関連付けられた接地抵抗の測定値を取得し、選択用メモリ５８に記憶する。
【００５７】
算出部６６は、情報選択部２４により選択された接地極の接地抵抗値と工事対象電柱に設けられる接地極の接地抵抗値との合成接地抵抗値を算出し、その算出した合成接地抵抗値を算出用メモリ５９に記憶するとともに、結果表示部３４に表示する。
【００５８】
次に、本実施形態に係る連接接地工事設計支援システムの制御について、図７〜図９に示すフローチャートを参照しつつ説明する。
【００５９】
まず、操作者は、条件入力部２２（の電柱識別ＩＤ入力部２２１）に工事対象電柱の電柱識別ＩＤを入力する（図７参照、Ｓ１でＹＥＳ）と、条件設定部６２は、条件入力部２２から電柱識別ＩＤを受け付け、演算用メモリ５６に記憶するとともに、電柱情報データベース５１から電柱識別ＩＤに関連付けられた電柱位置情報を取得し、演算用メモリ５６に記憶する（Ｓ２）。そして、条件設定部６２は、取得した電柱位置情報を条件表示部３１（の電柱位置情報表示部３１１，３１２）に表示する（Ｓ３）。
【００６０】
操作者は、更に、条件入力部２２（の設備情報入力部２２３）に工事対象電柱に設置する電気設備の種類を入力する（Ｓ４でＹＥＳ）と、条件設定部６２は、条件入力部２２から入力された電気設備の種類を設備情報として受け付け、演算用メモリ５６に記憶するとともに、設備情報データベース５２から設備情報に関連付けられた接地抵抗の規定値を取得し、演算用メモリ５６に記憶する（Ｓ５）。そして、条件設定部６２は、取得した接地抵抗の規定値を条件表示部３１（の規定値表示部３１３）に表示する（Ｓ６）。
【００６１】
操作者は、次に、条件入力部２２（の抽出半径入力部２２２）に連接接地し得る接地極が設けられた電柱を抽出する抽出半径を入力する（Ｓ７でＹＥＳ）と、条件設定部６２は、条件入力部２２から入力された抽出半径を受け付け、演算用メモリ５６に記憶する（Ｓ８）。その後、操作者が入力デバイスの一例であるマウスを操作して抽出実行部２３をクリック（選択）する（Ｓ９でＹＥＳ）と、条件設定部６２は、情報抽出部６３の第１情報抽出部６３１に制御を移し、連接接地し得る接地極の抽出を開始する（図８参照、Ｓ１０）。なお、条件入力部２２（の抽出半径入力部２２２）に抽出半径が入力される前に、抽出実行部２３がクリックされた（Ｓ７でＮＯ、Ｓ９でＹＥＳ）場合、情報抽出部６３の第１情報抽出部６３１は、予め演算用メモリ５６の初期設定で設定されている初期値（ディフォルト値）である１００ｍを用いて連接接地し得る接地極の抽出を実行する。
【００６２】
第１情報抽出部６３１は、連接接地情報データベース５４から工事対象電柱に対応する電柱識別ＩＤに関連付けられた連接接地グループ番号を取得し、演算用メモリ５６に記憶する（Ｓ１１）。第１情報抽出部６３１は、工事情報データベース５３から電柱識別ＩＤごとに、該電柱識別ＩＤに関連付けられた電柱位置情報を取得し（Ｓ１４）、取得した電柱位置情報から電柱識別ＩＤに対応する電柱と工事対象電柱との距離を算出し、演算用メモリ５６に記憶された抽出半径以内か否かを判断する（Ｓ１５）。
【００６３】
第１情報抽出部６３１が電柱識別ＩＤに対応する電柱が抽出半径以内であると判断する（Ｓ１５でＹＥＳ）と、第１情報抽出部６３１から第２情報抽出部６３２に制御を移し、第２情報抽出部６３２は、演算用メモリ５６から工事対象電柱に対応する電柱識別ＩＤに関連付けられた連接接地グループ番号を取得する（Ｓ１６）。更に、第２情報抽出部６３１は、連接接地情報データベース５４から抽出半径以内にあると判断した電柱識別ＩＤに関連付けられた連接接地グループ番号を取得する（Ｓ１７）。そして、第２情報抽出部６３２は、工事対象電柱に対応する電柱識別ＩＤに関連付けられた連接接地グループ番号と抽出半径以内にあると判断した電柱識別ＩＤに関連付けられた連接接地グループ番号とが一致するか否かの判断を行う（Ｓ１８）。
【００６４】
第２情報抽出部６３２が工事対象電柱に対応する電柱識別ＩＤに関連付けられた連接接地グループ番号と抽出半径以内にあると判断した電柱識別ＩＤに関連付けられた連接接地グループ番号とが一致しないと判断する（Ｓ１８でＮＯ）と、第２情報抽出部６３２は、この電柱識別ＩＤを抽出結果用メモリ５７に記憶し（Ｓ１９）、すべての電柱識別ＩＤにおいてこれらの判断がされるまで繰り返す（Ｓ１３〜Ｓ２０）。
【００６５】
第２情報抽出部６３２がすべての電柱識別ＩＤについて連接接地し得る接地極が設けられた電柱に関する情報を抽出し終える（Ｓ１３でＹＥＳ）と、第２情報抽出部６３２から抽出結果形成部６４に制御が移り、一覧形成部６４１は、抽出結果用メモリ５７に記憶された電柱識別ＩＤを取得し（図９参照、Ｓ２１）、電柱情報データベース５１、設備情報データベース５２、工事情報データベース５３、連接接地情報データベース５４から電柱識別ＩＤに対応し且つ一覧表示部６４１に表示する電柱に関する情報を取得し、抽出結果用メモリ５７に記憶する（Ｓ２２）。そして、一覧形成部６４１は、抽出結果用メモリ５７に記憶された電柱に関する情報を一覧表示部３２に出力し、表示画面上に当該電柱に関する情報を一覧表示する（Ｓ２３）。
【００６６】
一方、地図形成部６４２は、地図情報データベース５５から工事対象電柱に対応する電柱識別ＩＤに関連付けられた電柱位置情報と演算用メモリ５８に記憶された抽出半径とから、工事対象電柱から抽出半径の地図情報を取得する（Ｓ２４）。更に、地図形成部６４２は、抽出結果用メモリ５７に記憶された電柱に関する情報を地図表示部３３に出力し、地図表示部３３に表示されている地図上に重ね合わせて表示する（Ｓ２５）。
【００６７】
そこで、操作者は、一覧表示部３２若しくは地図表示部３３のいずれかを見ながら、一覧表示部３２若しくは地図表示部３３に表示された電柱に関する情報から連接接地する接地極を選び、該接地極が設けられる電柱に関する情報に対応して配置された抽出選択部２４１ａ，２４２ａを選択する（Ｓ２６若しくはＳ２７でＹＥＳ）。抽出選択部２４１ａ，２４２ａは、選択された電柱に関する情報に対応する電柱識別ＩＤを情報収集部６５に送信し、情報収集部６５では、選択用メモリ５８に該電柱識別ＩＤを記憶するとともに、抽出結果用メモリ５７から電柱識別ＩＤに関連付けた接地抵抗の測定値を取得し、選択用メモリ５８に記憶する（Ｓ２８）。
【００６８】
操作者が一覧表示部３２若しくは地図表示部３３に表示された電柱に関する情報の選択が完了したと判断すると、マウスを操作して算出実行部２５をクリック（選択）する（Ｓ２９でＹＥＳ）。操作者によって算出実行されると、情報収集部６５から算出部６６に制御が移り、算出部６６は、演算用メモリ５６から工事対象電柱に設けられた接地極の接地抵抗値を取得するとともに、選択用メモリ５８から接地抵抗の計測値を取得して、合成接地抵抗値を算出する（Ｓ３０）。そして、算出部６６は、算出した合成接地抵抗値を算出用メモリ５９に記憶するとともに、結果表示部３４に表示する（Ｓ３１）。
【００６９】
このように、工事対象電柱に設置する電気設備の接地抵抗の規定値を満足させるために、記憶部５に記憶された電柱位置情報に基づき、工事対象電柱から所定の距離範囲内にある電柱識別情報を抽出するとともに、工事対象電柱に設置された接地極と連接接地されていない接地極が設けられる電柱に関する情報を抽出して、表示手段３に表示する。情報選択部２４は、表示手段３に表示された電柱に関する情報から工事対象電柱に設けられた接地極に連接接地する接地極を選択できるようになっている。算出部６６は、情報抽出部６３により抽出された電柱に関する情報に対応する電柱に設けられた接地極のうち情報収集部６５により選択された接地極の接地抵抗値と工事対象電柱に設けられる接地極の接地抵抗値との合成接地抵抗値を算出する。よって、操作者は、情報抽出部６３により抽出された接地極の状況を応じて、工事対象電柱に設けられた接地極と連接接地することができるか否かを確認しながら、連接接地する接地極を選択することができ、連接接地工事の設計の利便性を高めることができる。
【００７０】
また、情報抽出部６３は、工事対象電柱に設置された接地極と連接接地されていない接地極を抽出する際に、工事対象電柱から所定の距離範囲内にある電柱識別情報の中から、工事対象電柱に対応する電柱識別情報に関連付けられた連接接地識別情報と一致する連接接地識別情報と関連付けられた電柱識別情報を省くことにより抽出することができる。
【００７１】
また、一覧選択部２４１は、情報抽出部６３により抽出された電柱に関する情報を一覧表示部３２に一覧表示された電柱に関する情報に対応して配置されていることから、容易に連接接地する接地極を選択することができる。
【００７２】
また、地図選択部２４２は、地図表示部３３に表示された地図上の電柱に関する情報に対応して配置されていることから、工事対象電柱との位置関係を確認しながら選択することができ、容易に連接接地する接地極を選択することができる。
【００７３】
また、工事対象電柱や連接接地工事をする際の制約等に合わせて、適宜、接地極を抽出する範囲を変更することができる。
【００７４】
なお、本発明は、上記実施形態に限定されず、本発明の要旨を逸脱しない範囲で様々な変更が可能である。
【００７５】
上記実施形態に係る連接接地工事設計支援システムは、一電力事業者の電力配電システムに適用する例を説明したが、これに限定されるものではない。放送事業者や通信事業者等の事業者も、当該電力会社が所有する電柱を利用してケーブルを敷設し、放送事業や通信事業を行っている。この放送事業や通信事業のために電柱の柱上に設置される設備も接地が必要な場合がある。本発明の連接接地工事設計支援システムは、このような、当該システムを所有する電力事業者以外の他の電力事業者、若しくは、放送事業者及び通信事業者などの事業者の電気設備の連接接地を検討する際にも適用することができる。
【００７６】
上記実施形態に係る連接接地工事設計支援システムは、入力手段２がキーボードやマウスであり、表示手段３がディスプレイである例を説明したが、これに限定されるものではない。例えば、連接接地工事設計支援システムは、外部から遠隔で電柱に関する情報を入力し、その結果を遠隔で受信可能なシステムであってもよく、このシステムを実現するために、設計作業者等の操作者によって操作される利用者端末としての携帯端末と、携帯端末に通信回線を介して通信可能な通信部とを備えていてもよい。なお、利用者端末としては、携帯電話機やＰＤＡ、ノートパソコン等の携帯端末に限らず、机等に設置して使用するデスクトップ型コンピュータ等でもよい。
【００７７】
上記実施形態に係る連接接地工事設計支援システムは、接地極を電柱識別ＩＤに対応する電柱で識別する例を説明したが、これに限定されるものではない。例えば、接地極は、電柱識別情報と設備情報との組み合わせにより識別するようにし、情報選択部は、電柱識別情報と設備情報との組み合わせにより連接接地する接地極を選択可能するようにしてもよい。このように構成される情報選択部は、１基の電柱に対して複数の電気設備が設置され、それぞれの電気設備に独立して接地極が接続される場合、すなわち、１基の電柱に対して複数の独立した接地極が設けられる場合であっても、電柱識別情報と設備情報との組み合わせにより、それぞれの接地極を識別することができる。なお、設備情報は、既に電柱に設置されている電気設備に関する情報に限定されず、将来設置される予定の電気設備に関する情報も含むものとする。
【００７８】
上記実施形態に係る連接接地工事設計支援システム１は、地図情報データベース５５が地図情報を記憶する例を説明したが、これに限定されるものではない。例えば、地図情報データベースは、地図情報のほかに、配電線網に関する情報が記憶されてもよい。このようにすることにより、地図表示部３３は、電柱に関する情報以外に配電線網に関する情報も表示され、電柱間の架線の状況を考慮しつつ連接接地する接地極が設けられた電柱を選択することができるようになる。
【符号の説明】
【００７９】
１…連接接地工事設計支援システム、２…入力手段、２１…情報入力部、２２…条件入力部、２２１…電柱識別ＩＤ入力部、２２２…抽出半径入力部、２２３…設備情報入力部、２３…抽出実行部、２４…情報選択部、２４１…一覧選択部、２４１ａ…抽出選択部、２４２…地図選択部、２４２ａ…抽出選択部、２５…算出実行部、３…表示手段、３１…条件表示部、３１１…規定値表示部、３１２…規定値表示部、３１３…規定値表示部、３２…一覧表示部、３３…地図表示部、３４…結果表示部、４…制御手段、５…記憶部、５１…電柱情報データベース、５２…設備情報データベース、５３…工事情報データベース、５４…連接接地情報データベース、５５…地図情報データベース、５１…演算用メモリ、５７…抽出結果用メモリ、５８…選択用メモリ、５９…算出用メモリ、６…演算部、６１…情報受付部、６２…条件設定部、６３…情報抽出部、６３１…第１情報抽出部、６３２…第２情報抽出部、６４…抽出結果形成部、６４１…一覧形成部、６４２…地図形成部、６５…情報収集部、６６…算出部、１００…電柱、１００ａ…工事対象電柱、１０１…変圧器（電気設備）、１０２…接地線、１０３…接地極、１０４…架空共同地線
【図１】
0005269055.tif 000002
【図２】
0005269055.tif 000003
【図３】
0005269055.tif 000004
【図４】
0005269055.tif 000005
【図５】
0005269055.tif 000006
【図６】
0005269055.tif 000007
【図７】
0005269055.tif 000008
【図８】
0005269055.tif 000009
【図９】
0005269055.tif 000010